(57)【要約】      （修正有）【課題】三線を練習する際に周囲に迷惑となるような音量を極力抑えながらも、練習奏者本人には実際の演奏音量・音質に近い状態で聞こえる様にし、調弦が簡単にできてトラブルの少ないものを提供する。【解決手段】三線が有する胴３の内部空間において、当該三線が有する棹１の所定の部位に接続された集音装置８を有しており、前記集音装置は、集音材と、当該集音材に形成された溝部とこの溝部の空間に一方の開口部を近接して配置されたチューブを含んで構成されており、前記チューブの他方の開口部にはチューブ式イヤホン７が接続可能に構成されることを特徴とする練習用三線Ｓである。【選択図】図１
0003233972.tif 000002
【実用新案登録請求の範囲】
【請求項１】
三線が有する胴の内部空間において、当該三線が有する棹の所定の部位に接続された集音装置を有しており、
前記集音装置は、集音材と、当該集音材に形成された溝部とこの溝部の空間に一方の開口部を近接して配設されたチューブを含んで構成されており、
前記チューブの他方の開口部にはチューブ式イヤホンが接続可能に構成されることを特徴とする、
練習用三線。
【請求項２】
三線が有する棹に接続される三線用集音装置であって、
前記三線用集音装置は、
集音材と、当該集音材に形成された溝部とこの溝部の空間に一方の開口部を近接して配設されたチューブを含んで構成されており、
前記チューブの他方の開口部にはチューブ式イヤホンが接続可能に構成されることを特徴とする、
三線用集音装置。
【考案の詳細な説明】
【技術分野】
【０００１】  本考案は、沖縄三線の練習用に開発したもので、対外的には極力音量を低減し、練習する演奏者には本物に近い状態の音量を提供する。
【背景技術】
【０００２】  沖縄三線の音量を下げて練習するには、市販の減音駒を使用するのが一般的だが、減音するだけでは演奏感に欠けていた。
【先行技術文献】
【特許文献】
【０００３】
【特許文献１】実登３０９４２００号  公報
【考案の概要】
【考案が解決しようとする課題】
【０００４】  特許文献１では、集音および消音機構を備えチューブ式イヤホンを使用しているが、集音・消音の機構が複雑で特殊な加工を必要としている。また、棹をそれ専用に特注して作る必要がある。振動受容部には医療用の聴診器を利用しているが伝達音が爆音のように響くため、チューブイヤホンの途中に音量調節のコック弁を使わざるを得ない構造となっている。さらに、軸受部とバネの加工が複雑で差し込み軸の使用中の安定性にも疑問があり全体が複雑すぎて汎用性がない。
【課題を解決するための手段】
【０００５】  本願に係わる考案は、三線が有する胴の内部空間において、当該三線が有する棹の所定の部位に接続された集音装置を有しており、前記集音装置は、集音材と、当該集音材に形成された溝部とこの溝部の空間に一方の開口部を近接して配置されたチューブを含んで構成されており、前記チューブの他方の開口部にはチューブ式イヤホンが接続可能に構成されることを特徴とする練習用三線である。【０００６】  本願に係わる考案は、三線が有する棹に接続される三線用集音装置であって、前記三線用集音装置は、集音材と、当該集音材に形成された溝部とこの溝部の空間に一方の開口部を近接して配設されたチューブを含んで構成されており、前記チューブの他方の開口部にはチューブ式イヤホンが接続可能に構成されることを特徴とする三線用集音装置である。
【考案の効果】
【０００７】  練習専用の安価な三線を提供するため、容易に入手可能な汎用木材を使い、従来の三線操作と違和感のない寸法・形状を維持したまま特殊技術を必要とせず製作が可能で、かつ、減音しながらも練習者には従来の演奏に近い状態の音色・音量を提供し、取り扱いが簡単に行えるようにした。【０００８】  集音装置は、イヤホンに導かれるチューブを三線の演奏操作や耳への装着性を考慮して棹の中間部背面に密着させ、チューブ端面を塞がないように空間を設け、その上から柔らかいゲル状に近い樹脂、例えばシリコン樹脂、エラストマー樹脂、ポリウレタン樹脂などの５ミリメートルから１０ミリメートルの厚さの板で覆いかぶせることでその性能が発揮できる。【０００９】  図４に示すように既存の三線へは、外力や特別な加工を加えたり傷を付けることなく利用できるように、樹脂部をプラスチックや木材などで箱型にまとめ、輪ゴムや粘着テープで棹の背面に抱き合せ、着脱可能な構造にしたチューブ式イヤホンと共に利用できるようにした。【００１０】  既存の三線でも練習用三線でも減音練習が可能になった。練習用三線はそのまま何時でも気軽に使用することが可能である。既存の三線で減音練習する場合は、減音駒に付け替え、外付けの集音装置とチューブ式イヤホンを装着する。【００１１】  練習用三線は、糸巻きにギター用マシンヘッドを採用しているため特殊技術力を要せず誰にでも簡単にかつ微妙に調弦することが可能となった。【００１２】  練習用三線は、高級部材や高度な技術で作り上げた高級品とは無縁の汎用木材で出来ており、チューブ式イヤホンから伝播する音量や音色が柔らかで、かつ簡単に作れて経済的である。
【図面の簡単な説明】
【００１３】
【図１】集音装置を取り付けた練習用三線の平面図である。
【図２】集音装置を取り付けた練習用三線の側面図である。
【図３】集音装置の基本図である。
【図４】既存の三線に外付けの集音装置を装着した斜視図である。
【考案を実施するための形態】
【００１４】  練習用三線は、胴の内部空間に装着した集音装置にチューブ式イヤホンを繋ぎ耳に装着し調弦して練習する。練習終了後は、チューブ式イヤホンを集音部に繋いだままもしくは取り外し、駒を外すか又は倒してハンガーによって三線掛けに掛けるか、そのまま三線ケースに収納する。
【００１５】  既存の三線を使用する場合は、既存の駒を減音駒に付け替え、外付けの集音装置を棹の背面に抱き合せ固定し、チューブ式イヤホンを繋ぎ調弦して練習する。終了する場合は、外付けの集音装置を取り外し、減音駒を既存の駒に取り換える。
【実施例】
【００１６】  以下図に従って実施例を説明する。図１並びに図２に示すように、練習用三線Ｓの場合は、駒６を所定の位置に立て、糸巻き２を操作し三本の弦５を調弦する。集音装置８にチューブ式イヤホン７を接続し耳に当てて練習する。練習終了後は、チューブ式イヤホン７を集音装置８から取り外し、駒６を外すか又は倒してハンガー１０によって壁掛け、またはケースに収納する。【００１７】  図２並びに図３に示すように、集音装置Ａは、集音材１１と、当該集音材１１に形成された集音材溝部１４と、当該集音材溝部１４の空間１３に一方は、チューブ末端開口部１５を近接して配設されたチューブ１２を含んで構成されており、前記チューブ１２の他方は、イヤホン接続開口部１６がありチューブ式イヤホン７が接続可能に構成される。【００１８】  チューブ式イヤホン７に導かれるチューブ１２は、演奏操作や耳への装着性を考慮して棹１の中間部背面に密着させ、チューブ末端開口部１５を塞がないように空間１３を設け、その上から柔らかいゲル状に近い樹脂、例えばシリコン樹脂、エラストマー樹脂、ポリウレタン樹脂などの５ミリメートルから１０ミリメートルの厚さの板で構成される集音材１１で覆いかぶせる。【００１９】  図４で示すように、既存の三線Ｂへ集音装置Ａを装着する場合は、例えば三線Ｂが外力や特別な加工や傷を付けることなく利用できるように、集音材１１をプラスチックや木材などで箱型にまとめ、棹１の背面に抱き合せ、着脱可能な構造にしたチューブ式イヤホン７と共に利用することができる。【００２０】  既存の三線Ｂで減音練習する場合は、既存の駒を減音駒６ａに付け替え、外付けの集音装置８を棹１の背面に抱き合せ固定し、チューブ式イヤホン７を繋ぎ耳に装着し調弦して練習を開始する。終了する場合は、外付けの集音装置８を丁寧に取り外し、減音駒６ａを取り外し既存の駒に取り換える。【００２１】  外付けの集音装置８の固定方法は、既存の三線Ｂの棹１に極力影響を与えないようにゴムバンド、粘着力の弱い養生用テープやマスキングテープ等によりほど良く密着させることができる。【００２２】  既存の三線Ｂでも練習用三線Ｓでも減音練習が可能になった。練習用三線Ｓはそのまま何時でも気軽に使用することが可能である。既存の三線Ｂで減音練習する場合は、減音駒６ａに付け替えると共に外付けの集音装置８とチューブ式イヤホン７を装着する。【００２３】  練習用三線Ｓは、糸巻き２はギター用マシンヘッドを採用しているため調弦操作が特殊技術力を要せず誰にでも簡単にかつ微妙に調節することが可能となった。【００２４】  練習用三線Ｓは、棹１は高級部材や高度な技術で作り上げた高級品とは無縁で、汎用木材のためチューブ式イヤホン７から伝播する音量や音色が柔らかで、かつ簡単に作れて経済的である。【００２５】  三線演奏者や愛好家の人口は、沖縄地方のみならず県外はもとより海外にまで及ぶ。しかしながら本物、高級志向の人口はさほど多くはない。沖縄への旅行・レジャーは根強い人気があり、旅行中に三線の音色や琉球芸能に魅了され土産品の三線や通販の「誰でもすぐに弾ける三線セット」などを求める人が少なくない。【００２６】  これらの三線はその殆どが海外で量産されたものであり沖��県産品は３〜４割程度と三線制作業界は需要が伸び悩み廃業を余儀なくされることもあると地元紙で報じられている。６００年余りの伝統ある芸能が脈々と引き継がれ、先の大戦で多くの家宝や名器といった三線が失われるという悲劇もあったが先祖から受け継いだ三線を今なお大切に使っている事実もある。三線の最も重要な部分は棹で、その棹材には黒檀が珍重され大変高価なものとなっている。【００２７】  沖縄では毎年数百の新しい歌が生まれているという。三線の魅力は全世界におよび愛されている。興味を持ち伝統を受け継ぎ、エンターテインメントを発揮したいと三線を手にする人はこれからも続きそうである。楽器を練習する環境は満足とは言えない。本考案の練習用三線は、高級部材を必要とせず製作工程も簡潔で量産が可能であり、安価に提供できることから愛好者やこれからはじめようとする初心者まで多くの需要が見込まれる。
【符号の説明】
【００２８】１  棹
２  糸巻き
３  胴
４  糸掛け
５  弦（３本）
６  駒
６ａ音駒
７  チューブ式イヤホン
８  集音装置
９  歌口
１０  ハンガー
１１  集音材
１２  チューブ
１３  空間
１４  集音材溝部
１５  チューブ末端開口部
１６  イヤホン接続開口部
Ｓ  練習用三線
Ａ  集音装置
Ｂ  既存の三線
【図１】
0003233972.tif 000003
【図２】
0003233972.tif 000004
【図３】
0003233972.tif 000005
【図４】
0003233972.tif 000006